(57)【要約】      （修正有）【課題】導電接触面積を増加するとともに、導電層および防水層を保護可能な自転車の泥除けに用いられる留め金具を提供する。【解決手段】導電ワッシャ６は、折れ曲がっている複数の突出部６０を有する。導電ボルト５に導電ワッシャがはめ込まれ、自転車の泥除け４に固定される。導電ボルトは、自転車の泥除けに貫通し、導電ナット８と、導電端子７をしっかりと固定する。これにより導電ワッシャの複数の突出部が、自転車の泥除けに完全に進入し、泥除けの他面上に設置されている導電層４３と接触することにより、導電ボルトと導電層との接触面積が大きくなり、導電率が高くなる。また、導電ボルト、導電端子、および導電ナットの外表面は防水、導電効果を有する導電インクで覆われており、保護作用を発揮する。【選択図】図４
0003187365.tif 000002
【実用新案登録請求の範囲】
【請求項１】
自転車の泥除けに設けられている留め金具であって、
導電ボルト、導電ワッシャ、導電端子、および導電ナットを備え、
前記導電ワッシャは、折れ曲がっている複数の突出部有し、前記導電ボルトにより前記泥除けに固定されており、
前記導電ボルトは、前記泥除けを貫通しており、
前記導電端子は、前記導電ナットによって前記導電ボルトに固定されており、
前記導電ワッシャの複数の前記突出部は、前記泥除けの前記導電ナットとは反対側の面に設置されており、前記泥除けに進入し、導電層と接触し、
前記導電ボルト、前記導電端子、および前記導電ナットは、外表面が導電インクに覆われていることを特徴とする自転車の泥除けに用いられる留め金具。
【考案の詳細な説明】
【技術分野】
【０００１】
本考案は、自転車の泥除けに用いられる留め金具に関する。
【背景技術】
【０００２】
特許文献１に記載の「結合度の高い自転車用泥除けの導電留め金具構造」は、図１から図３に示したとおり、導電用留め金具１、留め金具の台座２及び導電端子３等の部分から構成されている。導電留め金具１は、平板で、且つ、中央に突起部１１を有する。前記突起は、はめ込み部１１周縁にねじ山１３が形成されており、端部から軸方向に沿って複数の開口槽１２が延伸されている。留め金具の台座２は、自転車の泥除け４のあらかじめ設置されている孔洞内のリベット内にかしめられていることにより、その外周側面が自転車の泥除け４内に挟むように設置された導電層４３が孔洞内に延伸した接触縁部４３１に接触して導通する。留め金具の台座２中央には、収容孔２２が形成されている。収容孔２２の自転車の泥除け４の底側面に、台座底板２１が設置されている。収容孔２２の内壁縁は内側にねじ山２２１が形成されている。導電端子３は、一端側に突起した収容部３２が形成されており、導電留め金具１の突起部１１内に伸びている。導電端子３の収容部３２の周縁には、折り返し縁部３３が設置されている。導電留め金具１の周縁を挟み込んで結合することにより、収容部３２が突起部１１内に挿入する。折り返し縁部３３が導電留め金具１の周囲をしっかりと挟み込むことで、折り返し縁部３と導電留め金具１が堅固に結合する。組み立て時には、導電留め金具１の突起部１１が留め金具の台座２の収容孔２２内に押し入れられて、前記突起部１１表側のねじ山１３が収容孔２２内面の内側のねじ山２２１に対応して相互にかみ合って接触することにより、導電留め金具１と留め金具の台座２が堅固な結合状態を有するという目的を達成する。しかしながら、上述の従来の「結合度の高い自転車用泥除けの導電留め金具構造」は、その導電留め金具１と留め金具の台座２が互いにねじ山１３、内側のねじ山２２１を有して、相互にかみ合って接触するものの、実際には、長期の振動により、緩んだり、接触不良が発生したりする。さらに、留め金具の台座２と自転車の泥除け４の導電層４３が接触するのを利用していて、故に、その接触箇所はわずかな点のみであり、充分な防水がなされなかった場合、酸化して錆が生じ、導電不良を招く。
【先行技術文献】
【特許文献】
【０００３】
【特許文献１】台湾特許公告番号４０８７３３号明細書
【考案の概要】
【考案が解決しようとする課題】
【０００４】
本考案は、上述の問題に鑑みてなされたものであり、構造が簡単であり、導電端子と泥除けの導電層とが相互に結合されており、導電接触面を増加し、導電層および防水層を保護可能な自転車の泥除けに用いられる留め金具を提供することを目的とする。
【課題を解決するための手段】
【０００５】
本考案による自転車の泥除けに用いられる留め金具は、自転車の泥除けに設けられている留め金具であり、導電ボルト、導電ワッシャ、導電端子、及び導電ナットを備える。導電ワッシャは、折れ曲がっている複数の突出部有し、導電ボルトにはめ込まれていることで、自転車の前記泥除けの上に固定されている。導電ボルトは自転車の泥除けを貫通している。導電端子は、導電ナットによって導電ボルトに固定されている。自転車の泥除けの導電ナットとは反対側の面に設置されている導電ワッシャの複数の突出部が自転車の泥除けを完全に貫通して進入し、導電層と接触する。導電ボルト、導電端子、導電ナットの外表面は、導電インクに覆われている。
【０００６】
これにより、導電ボルトを利用して、導電ワッシャ及び導電端子を自転車の泥除けに螺合した後、ナットで導電ボルト締め結合することで、導電ワッシャの複数の突出部が自転車の泥除けに完全に進入し、導電層（アルミ箔層）と接触して、導電ボルトと導電層との接触面が増大することができる。また、導電端子と電源コード（導電層）の導電率を高めることができる。また、長期的な振動や不当な外力によって緩んだり、脱落したりすることを抑制することができる。
【０００７】
さらに、導電ボルト、導電端子、導電ナットの上下全面上に、防水、導電効果を有する導電インクを塗布することで、自転車の泥除けの導電ボルト、導電端子、および導電ナットの導電性が高めることができ、防水、防錆等の効果を有する。
【図面の簡単な説明】
【０００８】
【図１】従来の自転車の泥除けに用いられる留め金具を示す分解斜視図である。
【図２】従来の自転車の泥除けに用いられる留め金具を示す断面図である。
【図３】従来の自転車の泥除けに用いられる留め金具を示す断面である。
【図４】本考案の一実施形態による自転車の泥除けに用いられる留め金具を示す分解図である。
【図５】本考案の一実施形態による自転車の泥除けに用いられる留め金具を示す要部断面図である。
【図６】本考案の一実施形態による自転車の泥除けに用いられる留め金具の応用例を示す模式図である。
【考案を実施するための形態】
【０００９】
（一実施形態）
以下に、図を参照しながら、本考案の一実施形態による自転車の泥除けに用いられる留め金具を詳しく説明する。
図４から図６に示すように、本実施形態による自転車の泥除けに用いられる留め金具は、導電ボルト５、導電ワッシャ６、導電端子７及び導電ナット８を備え、自転車の泥除け４に設けられている。導電ワッシャ６は、折れ曲がっている複数の突出部６０を有する。導電ボルト５、導電ワッシャ６、および導電ナット８はいずれもステンレスによって形成されている。導電ボルト５に導電ワッシャ６がはめ込まれることで、共に自転車の泥除け４に固定される。導電ボルト５は、自転車の泥除け４に貫通し、導電ナット８と、導電端子７をしっかりと固定する。これにより自転車の泥除け４の他面上に設置されている導電ワッシャ６の複数の突出部６０が、自転車の泥除け４に完全に進入し、導電層アルミ箔層４３と接触することにより、導電ボルト５と導電層４３との接触面が大きくなる。さらに、導電端子７と電源コード導電層の導電率が高くなる。また、導電ボルト５の両端に、防水、導電効果を有する導電インク９が形成されていることで保護作用を発揮する。自転車の泥除け４の外面上の導電ボルト５、導電ナット８がいずれも導電インク９に保護される。同時に、自転車の泥除け４外面にプラスチックカバーＡが設置されており、導電ボルト５、導電ナット８、導電端子７を覆って保護する。これにより、導電端子と電源コード（導電層）との接続を堅固にし、且つ、接触面を多くすることで、従来の「結合度の高い自転車用泥除けの導電留め金具構造」において発生する、振動や不当な外力により緩んで、接触不良が発生する問題を解決することができる。
【００１０】
以上、本考案の実施形態を図面に基づいて詳述したが、具体的な構成は、これらの実施形態に限られるものではなく、本考案の要旨を逸脱しない範囲の設計変更などがあっても、本考案に含まれる。
【符号の説明】
【００１１】
１      導電用留め金具、
２      留め金具の台座、
３      導電端子、
１１      突起部、
１２      開口槽、
１３，２２１      ねじ山、  
４      自転車の泥除け、            
４３      導電層、
４３１      接触縁部、
２２      収容孔、
２１      台座底板、                    
３２      収容部、
３３      折り返し縁部、                            
５      導電ボルト、
６      導電ワッシャ、                        
７      導電端子、
８      導電ナット、                          
６０      突出部、
９      導電インク、                      
Ａ      プラスチックカバー。
【図１】
0003187365.tif 000003
【図２】
0003187365.tif 000004
【図３】
0003187365.tif 000005
【図４】
0003187365.tif 000006
【図５】
0003187365.tif 000007
【図６】
0003187365.tif 000008